(57)【特許請求の範囲】
【請求項１】
セットされたシート巻回体に被さり、基端部が枢支され、先端側が揺動可能とされた上部カバーを有するシート巻回体ホルダーに取り付けられるシート巻回体用切断具であって、
前記上部カバーの上面に取り付け可能な切断具本体と、この切断具本体の先端部の下側で昇降可能とされた保持部材と、この保持部材を引き上げる手段とを備え、前記切断具本体は、上部カバーの上面に取り付けられた状態で、この上部カバーの先端縁から突出した先端部を備え、前記保持部材は、シート巻回体の先端部のシートを引き出すための開口部を前記切断具本体の先端部との間に形成する開放位置と、引き出されたシートの先端部を前記切断具本体の先端部に磁気吸着によって挟む保持位置との間で昇降し、保持位置で押し下げられると、磁気吸着に抗して下降するように構成されていることを特徴とするシート巻回体用切断具。
【請求項２】
前記切断具本体を前記上部カバーの上面に取り付け可能な取付部と、この取付部と前記切断具本体とを磁気吸着するマグネットを備えていることを特徴とする請求項１に記載のシート巻回体用切断具。
【請求項３】
前記切断具本体は、先端縁に形成されたカット刃を備えていることを特徴とする請求項１または２に記載のシート巻回体用切断具。
【請求項４】
請求項１ないし３のいずれか一項に記載のシート巻回体用切断具を備えていることを特徴とするシート巻回体用ホルダー。
【発明の詳細な説明】
【技術分野】
【０００１】
本発明は、ロール状のトイレットペーパーやキッチンペーパーなどのシート巻回体を切断するためのシート巻回体用切断具およびシート巻回体を装着したシート巻回体用ホルダーに関する。
【背景技術】
【０００２】
従来のトイレットペーパー用ホルダーは、セットされたトイレットペーパーに被さる上部カバーを備えている。このようなトイレットペーパー用ホルダーを使用するには、セットされたトイレットペーパーを所望長さだけ引き出した後、一方の手で上部カバーを押さえた状態とし、他方の手で引き出されたトイレットペーパーを切断する。このような従来のトイレットペーパー用ホルダーでは、片手による操作が困難な構造であったため、片麻痺や怪我などで両手を使えない人にとっては極めて使い勝手が悪いという不具合があった。
【０００３】
そこで、トイレットペーパーを片手で切断することができるようにしたトイレットペーパー用切断具が特許文献１に記載されている。かかるトイレットペーパー用切断具は、図１３に示すように、トイレットペーパー用ホルダー１の上部カバー１５の前部上面に取り付け可能な取付基部１０１と、この取付基部１０１の各端部から突設された一対の腕部１０２，１０３と、これら腕部１０２，１０３間に揺動自在に架け渡されたカット体１０４とを備えている。カット体１０４の前端縁には、カット刃（採番せず）が形成されている。」
【０００４】
このトイレットペーパー用切断具は、カット体１０４がトイレットペーパーＰを引き出せるだけの周囲閉鎖状の開口部１０５を形成する一方、トイレットペーパーＰを引き出しやすくするための下方開放通路を形成するように構成されている。周囲閉鎖状の開口部１０５は、カット体１０４の遊端部１０４ａが一方の腕部１０２の上面に置かれ、水平姿勢となることで形成される。下方開放通路は、カット体１０４の基端部１０４ｂを支点にしてカット体１０４の遊端部１０４ａを上方へ上げた傾斜姿勢ないし起立姿勢とすることで形成される。
【０００５】
このトイレットペーパー用切断具は、トイレットペーパーＰをトイレットペーパー用ホルダー１に最初にセットした直後に、あるいは、トイレットペーパーＰの先端部が上部カバー１５の下側に巻き取られてセットし直さなければならなくなったときに、カット体１０４を傾斜姿勢ないし起立姿勢とすることによって下方開放通路を形成した状態とし、続いてカット体１０４を水平姿勢とすることによって周囲閉鎖状の開口部１０５を形成した状態とすることによりトイレットペーパーＰの先端部を開口部１０５から引き出すことができるようにされている。
【０００６】
そして、開口部１０５から水平方向に引き出されたトイレットペーパーＰの先端部は、下向きの張力が片手で掛けられることにより、カット体１０４のカット刃で切断される。切断されていない側のトイレットペーパーＰの端部は、カット体１０４の上面に残る。この残ったトイレットペーパーＰの先端部を摘むことで、トイレットペーパーＰを続いて引き出すことができる。
【先行技術文献】
【特許文献】
【０００７】
【特許文献１】特開２００４−３２９８１５号公報
【発明の概要】
【発明が解決しようとする課題】
【０００８】
前記従来のトイレットペーパー用切断具は、トイレットペーパーＰを片手で切断する以前の段階において、カット体１０４を傾斜姿勢ないし起立姿勢とすることで下方開放通路を形成し、トイレットペーパーＰを引き出した後、周囲閉鎖状の開口部１０５を形成するという操作をしなければならない。
【０００９】
このような操作は、両手を使えば容易に行うことができるものの、片手で行うことは至難の業である。したがって、従来のトイレットペーパー用切断具は、片手しか使えない人にとってトイレットペーパーＰを簡単にかつ確実に所定の寸法だけ引き出して切断しにくいという問題がある。
【００１０】
このような問題は、トイレットペーパーＰだけでなく、トイレットペーパーＰと同様の構成のロール状のキッチンペーパーやアルミホイル、樹脂製ラップなどのシート巻回体にも当てはまる。
【００１１】
本発明は、シート巻回体のシートを片手で簡単にかつ確実に任意の寸法だけ取り出して切断できるようにしたシート巻回体用切断具およびシート巻回体用ホルダーを提供することを課題とする。
【課題を解決するための手段】
【００１２】
本発明に係るシート巻回体用切断具は、セットされたシート巻回体に被さり、基端部が枢支され、先端側が揺動可能とされた上部カバーを有するシート巻回体ホルダーに取り付けられるシート巻回体用切断具であって、前記上部カバーの上面に取り付け可能な切断具本体と、この切断具本体の先端部の下側で昇降可能とされた保持部材と、この保持部材を引き上げる手段とを備え、前記切断具本体は、上部カバーの上面に取り付けられた状態で、この上部カバーの先端縁から突出した先端部を備え、前記保持部材は、シート巻回体の先端部のシートを引き出すための開口部を前記切断具本体の先端部との間に形成する開放位置と、引き出されたシートの先端部を前記切断具本体の先端部に磁気吸着によって挟む保持位置との間で昇降し、保持位置で押し下げられると、磁気吸着に抗して下降するように構成されていることを特徴としている。
【００１３】
前記と異なる本発明に係るシート巻回体用切断具は、セットされたシート巻回体に被さり、基端部が枢支され、先端側が揺動可能とされた上部カバーを有するシート巻回体ホルダーに取り付けられるシート巻回体用切断具であって、前記上部カバーの上面に取り付け可能とされ、上部カバーの上面に取り付けられた状態で、前記上部カバーの先端縁よりも突出する突出部を有する切断具本体を備え、前記突出部は、シート巻回体の先端部のシートを引き出すための開口部と、この開口部から引き出されたシートを保持するための保持部とを備えていることを特徴としている。
【００１４】
前記両本発明に係るシート巻回体用切断具の一態様は、前記切断具本体を前記上部カバーの上面に取り付け可能な取付部と、この取付部と前記切断具本体とを磁気吸着するマグネットを備えていることを特徴としている。
【００１５】
前記両本発明に係るシート巻回体用切断具の他態様は、前記切断具本体は、先端縁に形成されたカット刃を備えていることを特徴としている。
【００１６】
本発明に係るシート巻回体用ホルダーは、前記本発明に係るいずれかのシート巻回体用切断具を備えたことを特徴としている。
【発明の効果】
【００１７】
本発明によれば、片手でシート巻回体のシートを簡単にかつ確実に所定長さ寸法を取り出して切断できるシート状巻回体用切断具およびシート巻回体用ホルダーを提供することができる。
【図面の簡単な説明】
【００１８】
【図１】本発明の第１の実施形態に係るシート巻回体用切断具およびシート巻回体用ホルダーを示す全体斜視図である。
【図２】（ａ）は本発明の第１の実施形態に係るシート巻回体用切断具の保持部材が開放位置にある状態を示す断面側面図、（ｂ）は同じく保持部材が保持位置にある状態を示す断面側面図である。
【図３】（ａ）は本発明の第１の実施形態に係るシート巻回体用切断具保持部材が開放位置にある状態を示す断面正面図、（ｂ）は同じく保持部材が保持位置にある状態を示す断面正面図である。
【図４】本発明の第１の実施形態に係るシート巻回体用切断具保持部材の取付部を上部カバーに装着する状態を示す斜視図である。
【図５】本発明の第１の実施形態に係るシート巻回体用切断具保持部材の切断具本体を取付部に装着する状態を示す斜視図である。
【図６】（ａ）および（ｂ）は本発明の第１の実施形態においてトイレットペーパーを切断する際の説明をそれぞれ示す斜視図である。
【図７】トイレットペーパー用切断具を使用しない場合のトイレットペーパー用切断具の装着状態を示す斜視図である。
【図８】本発明の第２の実施形態に係るシート巻回体用切断具およびシート巻回体用ホルダーを示す全体斜視図である。
【図９】本発明の第２の実施形態に係るシート巻回体用切断具およびシート巻回体用ホルダーを示す断面側面図である。
【図１０】本発明の第２の実施形態に係るシート巻回体用切断具のトイレットペーパー用切断具を示す平面図である。
【図１１】本発明の第２の実施形態に係るシート巻回体用切断具の取付部および切断具本体を構成する異方性磁石を示す図である。
【図１２】（ａ）〜（ｃ）は本発明の第２の実施形態に係るシート巻回体用切断具の装着方法をそれぞれ示す説明する斜視図である。
【図１３】従来のトイレットペーパー用切断具を示す斜視図である。
【発明を実施するための形態】
【００１９】
〔第１の実施形態〕
本発明に係るシート巻回体用切断具およびシート巻回体用ホルダーの第１の実施形態について図１ないし図７に基づいて説明する。
【００２０】
第１の実施形態は、シート巻回体としてロールタイプのトイレットペーパーＰがセットされた既設のトイレットペーパー用ホルダー１に装着するトイレットペーパー用切断具５である。
【００２１】
既設のトイレットペーパー用ホルダー１は、壁面（図示せず）に固定される基板１１の左右両端部から前方に突出した一対の支持部１２，１２を備えたホルダー本体１３と、両支持部１２，１２の上端部間に支持軸１４を介して枢支された上部カバー１５と、両支持部１２，１２間の中間部間に架設されたトイレットペーパー支持軸１６とを備えている。
【００２２】
上部カバー１５は、基端部が支持軸１４を回転軸として枢着され、先端側が上下方向に揺動可能とされている。トイレットペーパー支持軸１６は、ロール状に巻回されたトイレットペーパーＰの筒状の芯内に挿通され、トイレットペーパーＰが周方向に回転可能とされている。
【００２３】
第１の実施形態のトイレットペーパー用切断具５は、トイレットペーパー用ホルダー１の上部カバー１５の上面に取り付けられる取付部（土台シート）５０と切断具本体５１と平面視帯状の保持部材５２とを備えている。
【００２４】
図３に示すように、保持部材５２の幅方向の長さ寸法Ｌ３は、切断具本体５１の幅寸法Ｌ４よりも長く設定されている。そして、保持部材５２は、切断具本体５１の先端部の下側に配された開放位置（図２（ａ）、図３（ａ）参照）と保持位置（図２（ｂ）、図３（ｂ）参照）との間で昇降可能とされている。また、保持部材５２の下面には錘５２ｗが固着されている。
【００２５】
土台シート５０はマグネットシートから構成されている。土台シート５０の裏面側には両面テープ５３が貼着されており、土台シート５０は両面テープ５３を介して上部カバー１５に固定されている。
【００２６】
切断具本体５１は、プラスチック製シートの表面層５５と、マグネットシートの裏側層５６とから構成されている。切断具本体５１の先端縁には、カット刃５１ａが備えられている。カット刃５１ａは、切断具本体５１に一体成型したものとしてもよいし、別部材を取り付けたものとしてもよい。
【００２７】
保持部材５２と切断具本体５１とは、着脱自在に装着されている。すなわち、保持部材５２および切断具本体５１の両方にマグネットが設けられており、このマグネットによって保持部材５２と切断具本体５１とは、磁気吸着で着脱される。なお、保持部材５２および切断具本体５１の一方にマグネットを設け、他方に鉄などの強磁性体を設けることも可能である。
【００２８】
切断具本体５１の一端部５１ａと保持部材５２の一端部５２ａとは、図３に示すように、連結手段（例えば、しなやかな紐体、ワイヤー、チェーンなど限定しないが、以下、「紐体」として説明する。）５７で連結されている。具体的には、紐体５７の一端は切断具本体５１の一方５１ａの下面に連結され、紐体５７の他端は保持部材５２の一方５２ａの下面に連結され、保持部材５２が切断具本体５１から離れて落下しないようにされている。
【００２９】
保持部材５２の他端部５２ｂには、下側の開放位置から上側の保持位置に引き上げる手段（例えば、しなやかな紐体、ワイヤー、チェーンなど限定しないが、以下、「紐体」として説明する。）５８が連結されている。この紐体５８は、紐体５７よりも長く、切断具本体５１の他方５１ｂに形成された挿通孔５１ｃに挿通されて切断具本体５１の上方から把持できるようになっている。
【００３０】
また、紐体５８の途中には、挿通孔５１ｃよりも大きなストッパ部（例えば図示したような紐体５８の結び目や図示しない留め具などにより形成されている。）５８ｄが設けられ、このストッパ部５１ｄが挿通孔５１ｃに上方から係止することにより、保持部材５２の下降しないようにされている。また、保持部材５２における紐体５７と紐体５８との間隔Ｌ５は、切断具本体５１における紐体５７と紐体５８との間隔Ｌ６よりも大きく設定されている。
【００３１】
これにより、保持部材５２は、図３（ａ）に示すように、切断具本体５１の下方に垂下して切断具本体５１との間で開口部５９を形成する開放位置と、図３（ｂ）に示すように、切断具本体５１とによってトイレットペーパーＰを挟持する保持位置との間で昇降可能とされている。
【００３２】
すなわち、紐体５８を把持しない開放位置において、保持部材５２は、自重および錘５２ｗにより下降しようとするが、短い紐体５７およびストッパ部５８ｄを設けた紐体５８により、切断具本体５１と所定間隔をおいて吊り下げられた状態を維持する。紐体５８を上方に引き上げた保持位置において、保持部材５２は上昇して切断具本体５１の下面に磁気吸着される。
【００３３】
次に、トイレットペーパー用切断具５の装着方法について説明する。先ず、図４に示すように、土台シート５０をトイレットペーパー用ホルダー１の上部カバー１５に装着する。そして、図５に示すように切断具本体５１を土台シート５０に磁気吸着力により装着することで、シート巻回体用切断具を備えたシート巻回体用ホルダーとなる。
【００３４】
次に、トイレットペーパー用切断具５を使用してトイレットペーパーＰを切断する方法について説明する。先ず、図２（ａ）、図３（ａ）および図６（ａ）に示す保持部材５２の開放位置において、片手でトイレットペーパーＰの先端部Ｐａを所定長さまで引き出す。保持部材５２が開放位置にあることで、切断具本体５１と保持部材５２との間隔（図２（ａ）に示す開口部５９）を利用してトイレットペーパーＰの先端部Ｐａを所定長さまで容易に引き出すことができる。
【００３５】
そして、保持部材５２を保持位置とするため、紐体５８を把持し上方手前へ引くと、図２（ｂ）、図３（ｂ）および図６（ｂ）に示すように、保持部材５２が持ち上げられて切断具本体５１の裏面に磁気吸着され、保持部材５２と切断具本体５１とがトイレットペーパーＰを挟持する。これにより、トイレットペーパーＰが自由に引き出されないようになる。
【００３６】
また、この保持部材５２の保持位置において、保持部材５２の紐体５８挿通部分と、切断具本体５１の紐体５８連結部とが一致するため、保持部材５２の一方側が切断具本体５１の縁部より側方（図３（ｂ）では左方向）に突出した状態となる。この突出している部分は、切断具本体５１と磁気吸着されないように押し下げられる解除部５２ｃとされる。
【００３７】
トイレットペーパーＰの先端部Ｐａを片手で上方に引っ張ると、カット刃５１ａを介してトイレットペーパーＰを切断することができる。すなわち、トイレットペーパーＰは、保持部材５２と切断具本体５１とで挟持されているため、仮に切断具本体５１が上方に回動しても、引き出されることはない。これにより、トイレットペーパーＰの先端部Ｐａを片手で確実に切断することができる。
【００３８】
次に、切断された後のトイレットペーパーＰを引き出す際について説明する。保持部材５２は、保持位置において解除部５２ｃが縁部切断具本体５１のより側方に突出しているため、この解除部５２ｃが片手で押圧されると、磁気吸着力に抗して下降する。保持部材５２は、下面に固着された錘５２ｗによって弱い力で切断具本体５１から離間し開放位置に下降する。この結果、切断具本体５１と保持部材５２との間には開口部５９が確保される。この開口部５９から再びトイレットペーパーＰの先端部Ｐａを自由に引き出すことができる。
【００３９】
また、切断具本体５１を使用しない場合には、図７に示すように、土台シート５０から切断具本体５１を一旦、取り外し、切断具本体５１のカット刃５１ａを壁面側に向け、保持部材５２をトイレットペーパー用ホルダー１の基板１１との間に挟むように壁面側に寄せて再び土台シート５０に装着する。この状態においては、上部カバー１５の先端縁が露出してカット刃として使用できる。
【００４０】
〔第２の実施形態〕
本発明に係るシート巻回体用切断具およびシート巻回体用ホルダーの第２の実施形態について図８ないし図１３に基づいて説明する。第２の実施形態も、シート巻回体としてロールタイプのトイレットペーパーＰがセットされた既設のトイレットペーパー用ホルダー１に装着するトイレットペーパー用切断具２である。なお、トイレットペーパー用ホルダー１の上部カバー１５は、基端側が平坦で、先端側が下向きに反った形状とされている。
【００４１】
第２の実施形態のトイレットペーパー用切断具２は、第１の実施形態のトイレットペーパー用切断具５と同様にトイレットペーパー用ホルダー１に装着されるもので、トイレットペーパー用ホルダー１の上部カバー１５の上面に取り付けられる取付部（土台シート）２１と、土台シート２１に取り付けられる板状の切断具本体２２とを備えているが保持部材５２に備えられていない。
【００４２】
土台シート２１は、長方形状のマグネットシートから構成されている。土台シート２１の裏面側には両面テープ２３が貼着されており、土台シート２１は両面テープ２３を介して上部カバー１５に固定されている。
【００４３】
切断具本体２２は、プラスチック製シートの表面層２５と、マグネットシートの裏側層２６とから構成されている。土台シート２１と切断具本体２２とは、好ましくは図１１に示すように、Ｎ極とＳ極とが交互に配置された多極着磁され、その着磁の方向に位置ずれしないようにされている。また、土台シート２１と切断具本体２２とは、強固に磁気吸着するため異方性の磁石が採用されている。なお、異方性磁石を採用することは、必須でない。
【００４４】
また、切断具本体２２の裏面層２６は、上部カバー１５の平坦な基端側にのみ接合するような短い寸法とされている。切断具本体２２の表面層２５は、上部カバー１５の反った先端側よりも突出する突出部２７を有する長い寸法とされている。この突出部２７は、上部カバー１５の先端側よりも緩く反り、上部カバー１５の先端側との間に隙間が生じるようにされている。
【００４５】
突出部２７には横方向に長辺となる長方形状（図面では、両短辺を円弧状にしているが、コーナー部のみ角張らないようにしてもよいし、完全な長方形としてもよい。）の開口部２８が形成されている。開口部２８の幅寸法Ｌ１は、トイレットペーパーＰの幅寸法Ｌ２と同等かそれ以上に設定されている。ただし、使い勝手が悪くなるものの、開口部２８の幅寸法Ｌ１は、トイレットペーパーＰの幅寸法Ｌ２よりも狭くしてもよい。
【００４６】
また、開口部２８よりも先側は、トイレットペーパーを案内保持する保持部２９が形成されている。保持部２９の先端縁には鋸刃状のカット刃２２ａが形成されている。カット刃２２ａは、保持部２９に一体成型したものとしてもよいし、別部材を取り付けたものとしてもよい。
【００４７】
次に、トイレットペーパー用切断具２をトイレットペーパー用ホルダー１に装着する方法について説明する。先ず、図１２（ａ）に示すように、土台シート２１をトイレットペーパー用ホルダー１の上部カバー１５に両面テープ２３を介して装着する。次に、図１２（ｂ）に示すように、切断具本体２２を土台シート２１にマグネットによる磁気吸着を利用して装着することでシート巻回体用切断具を備えたシート巻回体用ホルダーとなる。
【００４８】
この切断具本体２２と土台シート２１との装着は、マグネットの磁気吸着によりワンタッチで簡単に行うことができる。また、切断具本体２２と土台シート２１は、図４に示したように多極着磁され、また、異方性磁石で磁気吸着するので、切断具本体２２を土台シート２１に対して平行に配置され、また、位置ずれしないようにすることができる。
【００４９】
そして、図１２（ｃ）に示すように、切断具本体２２の開口部２８に、トイレットペーパー用ホルダー１に装着されたトイレットペーパーＰの先端部Ｐａを片手で引き出し、トイレットペーパーＰの先端部Ｐａを開口部２８から突出させ、保持部２９に保持された状態とする。かかる作業は、開口部２８を切断具本体２２に形成しているため、この開口部２８を介してトイレットペーパーＰの取り出し作業を片手で簡単にかつ確実に行うことができる。
【００５０】
次に、トイレットペーパー用切断具２を使用してトイレットペーパーＰを切断する方法について説明する。先ず、開口部２８から引き出されたトイレットペーパーＰの先端部Ｐａを片手で所定長さまでさらに引き出す。この引き出し時において、トイレットペーパーＰの先端部Ｐａは保持部２９に沿って引き出せる（保持部２９上面を摺動させることができる）ため、引き出しが安定する。
【００５１】
また、トイレットペーパーＰは保持部９７に常時接触させることなく、斜め上に引き出すこともできるが、かかる場合もトイレットペーパーＰを片手で容易に引き出すことができる。なお、トイレットペーパーＰの引き出しに際しては、土台シート２１と切断具本体２２とは、多極着磁した異方性磁石の磁気吸着力を利用しているため、土台シート２１と切断具本体２２とが前後方向に位置ずれすることがない。
【００５２】
さらに、所定長さ引き出されたトイレットペーパーＰを片手で下方に引っ張る。これにより、トイレットペーパーＰは切断具本体２２の突出部２７に強く押圧されるため、上部カバー１５を下方に付勢するとともに、上部カバー１５が上方に回動することなく、トイレットペーパーＰはカット刃２２ａを支点にして下方に屈曲されることで、引っ張られて簡単にちぎれる。トイレットペーパーＰの先端部Ｐａは、保持部９の上面に残るため、このトイレットペーパーＰの先端部Ｐａをつまんで再び取り出し易くなっている。
【００５３】
以上のように、本発明のトイレットペーパー用切断具２は、構造が簡単でかつトイレットペーパー用切断具２を既設のトイレットペーパホルダー１に装着するだけであるため、安価で簡単に装着することができる。また、土台シート２１と切断具本体２２は、マグネットによる磁気吸着力により着脱自在に装着できることから、切断具本体２２を簡単かつ迅速にトイレットペーパー用ホルダー１の上部カバー１５の所定位置に装着することが可能となる。
【００５４】
切断具本体２２を使用しない場合には、上部カバー１５に磁気吸着された切断具本体２２を簡単に取り外すことができる。
【００５５】
〔その他の実施形態〕
本発明は、上記の第１、第２の実施形態に限定されるものではない。例えば、土台シート２１、５０と切断具本体２２、５１との吸着は、何れか一方にマグネットを設け、他方に磁性体を設けることも可能である。また、上部カバーが磁性体からなる金属製である場合には、土台シートを使用することなく、切断具本体を上部カバーに直接吸着させる構成であってもよい。
【００５６】
また、第１、第２の実施形態では、切断具本体５１，２２は上部カバー１５と別体の場合を例示したが、一体的に設けてもよい。すなわち、切断具本体５１，２２に相当する部分を上部カバー１５に設けることも可能である。また、第１、第２の実施形態では、切断具本体５１がカット刃５１ａを備え、保持部２９がカット刃２２ａを備えているとしたが、例えば、ミシン目を形成したトイレットペーパーＰを切断する場合などにおいては、カット刃５１ａ，２２ａを必ずしも備えなくてもよい。
【００５７】
また、第１、第２の実施形態では、トイレットペーパーＰを切断する場合について説明したが、トイレットペーパーＰ以外にロール状のキッチンペーパー、アルミホイル、樹脂製ラップなどのシート状巻回体でも本発明を実施することができる。
【符号の説明】
【００５８】
１          トイレットペーパー用ホルダー
２          トイレットペーパー用切断具
５          トイレットペーパー用切断具
１３        ホルダー本体
１５        上部カバー
２１        取付部（土台シート）
２２        切断具本体
２２ａ      カット刃
２３        両面テープ
２５        表面層
２６        裏側層
２７        突出部
２８        開口部
２９        保持部
５０        土台シート
５１        切断具本体
５１ａ      カット刃
５２        保持部材
５２ｃ      解除部
５３        両面テープ
５５        表面層
５６        裏側層
５７        紐体
５８        引き上げる手段（紐体）
５９        開口部
Ｐ          トイレットペーパー
【図１】
0006774154.tif 000002
【図２】
0006774154.tif 000003
【図３】
0006774154.tif 000004
【図４】
0006774154.tif 000005
【図５】
0006774154.tif 000006
【図６】
0006774154.tif 000007
【図７】
0006774154.tif 000008
【図８】
0006774154.tif 000009
【図９】
0006774154.tif 000010
【図１０】
0006774154.tif 000011
【図１１】
0006774154.tif 000012
【図１２】
0006774154.tif 000013
【図１３】
0006774154.tif 000014